(57)【要約】【課題】冷蔵庫本体にヒンジ板にて回動可能に扉を軸支持したものにおいて、冷蔵庫の外容積に対する内容積の比率が小さくならないようにヒンジ板が冷蔵庫本体の上面から突出しないようにする技術に関し、ヒンジ板を冷蔵庫本体の上面に固定する簡素化された構成とし、ヒンジ板をカバーするヒンジカバーを設けて外観装飾を行った場合にも、ヒンジ装置が冷蔵庫本体の上面から突出しない冷蔵庫を提供する。【解決手段】後部が冷蔵庫本体の上面に形成した窪みに固定され前部が回動式扉の上面へ延出して回動式扉を軸支持するヒンジ軸を具備するヒンジ板と、後部が前記窪みに収納されヒンジ板を上方から覆うヒンジカバーを備え、ヒンジカバーがヒンジ板を覆った状態で冷蔵庫本体の上面及び回動式扉の上面から突出しない高さに形成されたヒンジ装置。【選択図】  図１
2004293913.tif 000002
【特許請求の範囲】
【請求項１】
冷蔵庫本体の上面に設けたヒンジ装置にて上部が回動可能に軸支持された回動式扉によって前記冷蔵庫本体の前面開口を開閉する構成の冷蔵庫において、前記ヒンジ装置は、後部が前記冷蔵庫本体の上面に形成した窪みに固定され前部が前記回動式扉の上面へ延出して前記回動式扉を軸支持するヒンジ軸を具備するヒンジ板と、後部が前記窪みに収納され前記ヒンジ板を上方から覆うヒンジカバーとを備え、前記ヒンジカバーが前記ヒンジ板を覆った状態で前記冷蔵庫本体の上面及び前記回動式扉の上面から突出しない高さに形成されたことを特徴とする冷蔵庫。
【請求項２】
冷蔵庫本体の上面に設けたヒンジ装置にて上部が回動可能に軸支持された回動式扉によって前記冷蔵庫本体の前面開口を開閉する構成の冷蔵庫において、前記ヒンジ装置は、後部が前記冷蔵庫本体の上面に形成した窪みに固定され前部が前記回動式扉の上面へ延出して前記回動式扉を軸支持するヒンジ軸を具備するヒンジ板と、後部が前記窪みに収納され前記ヒンジ板を上方から覆うヒンジカバーとを備え、前記冷蔵庫本体から前記回動式扉に設けた制御部へ延びるリード線が前記ヒンジ板の後部に形成した挿通孔から前記ヒンジ板の上面を通って前記ヒンジ軸を貫通する挿通孔を通して配置され、前記ヒンジ装置は、前記ヒンジカバーが前記リード線と前記ヒンジ板を覆った状態で前記冷蔵庫本体の上面及び前記回動式扉の上面から突出しない高さに形成されたことを特徴とする冷蔵庫。
【発明の詳細な説明】
【０００１】
【発明の属する技術分野】
本発明は、冷蔵庫本体の上面に設けたヒンジ装置にて上部が回動可能に軸支持された回動式扉によって前記冷蔵庫本体の前面開口を開閉する構成の冷蔵庫に関し、特に前記ヒンジ装置の高さを制限する技術に関する。
【０００２】
【従来の技術】
冷蔵庫本体の上壁に設けたヒンジ板にて上部が回動可能に軸支持された回動式扉によって前記冷蔵庫本体の前面開口を開閉する構成の冷蔵庫において、冷蔵庫の外容積に対する内容積の比率が小さくならないようにするために、ヒンジ板が冷蔵庫本体の上面から突出しないようにしたものがある（例えば、特許文献１参照）。
【０００３】
この特許文献１の技術は、冷蔵庫本体の前面開口縁の上辺となる前フランジと後フランジに一側に水平方向に細長い透孔を形成して、この透孔にヒンジ板を差し込んで固定するものである。この構成では、ヒンジ板が冷蔵庫本体の外箱天面の下側に潜る状態であるため、ヒンジ板の取り付けのためにヒンジ板に補助固定片を形成し、外箱にもこの補助固定片を螺子留めするための後端フランジを形成している。
【０００４】
【特許文献１】
特開平９−１４８２３号公報（第１〜３頁、図１〜２）
【０００５】
【発明が解決しようとする課題】
特許文献１のものは、上記のように、ヒンジ板が細長い透孔に挿入され、取り付けのためにヒンジ板に補助固定片を形成し、外箱にもこの補助固定片を螺子留めするための後端フランジを形成する複雑な構成となる。また、冷蔵庫本体には内箱と外箱との間に発泡性断熱材が充填されるため、この透孔部分から発泡性断熱材が漏出しないようにシールする必要が生じ、そのために外観的な装飾構造が必要となり、製造上複雑化する。
【０００６】
本発明は、このような点に鑑みて、冷蔵庫の外容積に対する内容積の比率が小さくならないようにするために、ヒンジ板を冷蔵庫本体の上面に固定する簡素化された構成とし、ヒンジ板をカバーするヒンジカバーを設けて外観装飾を行ったヒンジ装置とし、このヒンジ装置が冷蔵庫本体の上面から突出しないようにした冷蔵庫を提供するものである。また、冷蔵庫本体と扉とを結ぶ電気配線のリード線をヒンジ装置を介して配線することができるようにし、その場合にも、このヒンジ装置が冷蔵庫本体の上面から突出しないようにした冷蔵庫を提供するものである。
【０００７】
【課題を解決するための手段】
本発明の冷蔵庫は、冷蔵庫本体の上面に設けたヒンジ装置にて上部が回動可能に軸支持された回動式扉によって前記冷蔵庫本体の前面開口を開閉する構成の冷蔵庫において、前記ヒンジ装置は、後部が前記冷蔵庫本体の上面に形成した窪みに固定され前部が前記回動式扉の上面へ延出して前記回動式扉を軸支持するヒンジ軸を具備するヒンジ板と、後部が前記窪みに収納され前記ヒンジ板を上方から覆うヒンジカバーを備え、前記ヒンジカバーが前記ヒンジ板を覆った状態で前記冷蔵庫本体の上面及び前記回動式扉の上面から突出しない高さに形成されたことを特徴とする。
【０００８】
これによって、ヒンジ板を冷蔵庫本体の上面に固定する簡素化された構成とすることができ、ヒンジ板をカバーするヒンジカバーを設けて外観装飾を行った場合にも、ヒンジ装置が冷蔵庫本体の上面から突出しない冷蔵庫となり、ヒンジ装置によって冷蔵庫の外容積に対する内容積の比率が小さくなることはない。
【０００９】
また、本発明の冷蔵庫は、冷蔵庫本体の上面に設けたヒンジ装置にて上部が回動可能に軸支持された回動式扉によって前記冷蔵庫本体の前面開口を開閉する構成の冷蔵庫において、前記ヒンジ装置は、後部が前記冷蔵庫本体の上面に形成した窪みに固定され前部が前記回動式扉の上面へ延出して前記回動式扉を軸支持するヒンジ軸を具備するヒンジ板と、後部が前記窪みに収納され前記ヒンジ板を上方から覆うヒンジカバーを備え、前記冷蔵庫本体から前記回動式扉に設けた制御部へ延びるリード線が前記ヒンジ板の後部に形成した挿通孔から前記ヒンジ板の上面を通って前記ヒンジ軸を貫通する挿通孔を通して配置され、前記ヒンジ装置は、前記ヒンジカバーが前記リード線と前記ヒンジ板を覆った状態で前記冷蔵庫本体の上面及び前記回動式扉の上面から突出しない高さに形成されたことを特徴とする。
【００１０】
これによって、ヒンジ板を冷蔵庫本体の上面に固定する簡素化された構成とすることができ、ヒンジ板をカバーするヒンジカバーを設けて外観装飾を行った場合にも、ヒンジ装置が冷蔵庫本体の上面から突出しない冷蔵庫となる。そして、扉に各種の制御ができる制御部と表示部を設けた場合、冷蔵庫本体と扉とを結ぶ電気配線のリード線が、ヒンジ装置を介して配線されるようにしても、このヒンジ装置が冷蔵庫本体の上面から突出しないので、冷蔵庫の外容積に対する内容積の比率が小さくなることがなくなる。
【００１１】
【発明の実施の形態】
次に、本発明冷蔵庫の実施の形態について説明する。各図は本発明の実施形態を示しており、図１は本発明に係る冷蔵庫の上ヒンジ装置の部分の分解斜視図、図２は本発明に係る冷蔵庫の上ヒンジ装置の部分の前後方向断面図、図３は本発明に係る冷蔵庫の上ヒンジ装置の部分の左右方向断面図である。
【００１２】
図において、１は冷蔵庫Ｒを構成する冷蔵庫本体であり、外箱（外壁板）３と内箱（内壁板）２との間に発泡断熱材４を充填した断熱構造である。前面に開口した冷蔵庫本体１内には、複数の貯蔵室が区画形成されている。貯蔵室５の前面開口は、冷蔵庫本体１の一側部に上ヒンジ装置７と下ヒンジ装置（図示せず）にて横方向に回動して開閉される回動式扉６にて閉塞される。
【００１３】
冷蔵庫本体１の上面、即ち外箱（外壁板）３の上面３Ａには、上ヒンジ装置７のヒンジ板８の後部を収納するように、上面開口の窪み９が外箱（外壁板）３の上面３Ａに形成されている。窪み９の前端は前方へ開放され、窪み９に収納されたヒンジ板８の前部が冷蔵庫本体１の前方へ突出することができる。窪み９の形成は、図示の構成では、外箱（外壁板）３の上面３Ａを切除し、この切除部１１に底壁１０Ａの周縁部に左側壁１０Ｂ、右側壁１０Ｃ、後壁１０Ｄを立ち上げた取り付け基板１０が、外箱（外壁板）３の上面３Ａの裏側に沿って溶接や螺子１３等にて固定された構造である。なお、外箱（外壁板）３の上面３Ａに切除部１１を形成する代わりに、外箱（外壁板）３の上面３Ａを窪ませ、その裏側に沿って取り付け基板１０を溶接や螺子１３等にて固定する構成でもよい。
【００１４】
外箱（外壁板）３は貯蔵室５の前面の周縁に前面フランジ３Ｂを形成し、この前面フランジ３Ｂの裏側に内箱（内壁板）２前面フランジが当接しており、前面フランジ３Ｂの後側の溝部には冷却システムの温冷媒が通るパイプ２４が配置されて、前面フランジ３Ｂへの露付き防止効果を図っている。取り付け基板１０は、図３に示すように、外箱（外壁板）３の上面３Ａの裏側から外箱（外壁板）３の側面の裏側に渡って配置され、取り付け基板１０の一部を折り曲げ形成した取り付けフランジ１０Ｆを前面フランジ３Ｂの屈曲にて形成した後フランジ３Ｃに螺子２５で固定している。この状態で、パイプ２４によって取り付け基板１０とヒンジ板８が加温されるため、ヒンジ装置７が冷却されて露付きを生じることはない。
【００１５】
ヒンジ板８は、その後部４箇所を取り付け基板１０に形成した螺子部１０Ｅに螺合するボルトネジ等の螺子１２によって取り付け基板１０に固定されている。ヒンジ板８は、その前部が窪み９の前端開放部から前方へ突出して扉６の上面に臨む。ヒンジ板８の前端部にはヒンジ軸１４が下方へ突出して設けられ、扉６の上面には、このヒンジ軸１４が挿入される軸受け筒１５が取り付けられている。これによって扉６はヒンジ軸１４を中心として左右水平方向へ回動自在である。
【００１６】
ヒンジ板８の窪み９内に位置する後部の中央部には、リード線１６の挿通孔１７が形成され、ヒンジ軸１４は中空をなしてリード線１６の挿通孔１４Ａを形成している。リード線１６は、冷蔵庫本体１の電装部から回動式扉６の前面に設けた制御部１９へ延びる電気配線であり、ヒンジ板の後部に形成した挿通孔１７からヒンジ板８の上面を通ってヒンジ軸１４を貫通する挿通孔１４Ａを通して配置される。制御部１９は、冷蔵庫Ｒの温度設定、タイマー設定、時計設定、急速冷凍モード設定、急速製氷モード設定、貯蔵室５の除菌モード設定、自動製氷機の清掃モード設定、節電モード設定、レシピ表示操作等の操作を行う操作部２１やこれらに係る表示を行う液晶表示部２０、更にはこれらの制御を行うマイクロコンピュータ制御部等を備えている。
【００１７】
１８は合成樹脂製や金属等で構成されたヒンジカバーであり、窪み９に取り付けられたヒンジ板８の上面側にリード線１６が配置された状態で、ヒンジ板８とリード線１６を上方から覆うように取り付けられる。ヒンジカバー１８は、上壁の周縁部に前後左右の縦壁を備え、この縦壁の内側に係止突起２２を形成しており、ヒンジカバー１８の多少の弾力性を利用してヒンジ板８の周縁部の係止部３０に係止することにより取り付けられる構成である。このため、ヒンジカバー１８は、その弾力性を利用してヒンジ板８から取外すこともできる。
【００１８】
本発明のヒンジ装置７は、ヒンジカバー１８がリード線１６とヒンジ板８を覆った状態で、ヒンジカバー１８の上面が冷蔵庫本体１の上面３Ａ及び回動式扉６の上面６Ａから突出しない高さに形成される。図示の構成では、冷蔵庫本体１の上面３Ａと回動式扉６の上面６Ａは同一レベルに形成され、ヒンジカバー１８がリード線１６とヒンジ板８を覆った状態で、ヒンジカバー１８の上面が冷蔵庫本体１の上面３Ａ及び回動式扉６の上面６Ａと同一レベルになる構成である。
【００１９】
図示の構成では、回動式扉６の上面６Ａには一部を窪ませてヒンジ装置７の前部が収納される凹部２３を形成して、この凹部２３に軸受け筒１５が取り付けられている。このため、ヒンジ装置７が冷蔵庫Ｒの前方から見え難い状態にカバーされ、デザイン効果の向上を図っている。
【００２０】
このような構成によって、ヒンジ板８とヒンジカバー１８は、冷蔵庫本体１の上面から取り付けることができるため、取り付けが容易な簡素化された構成となる。特に、ヒンジ板８をカバーするヒンジカバー１８を設けて外観装飾を行った場合にも、ヒンジ装置７が冷蔵庫本体１の上面から突出しない冷蔵庫Ｒとなるため、扉６に各種の制御と表示ができる制御部１９を設けた場合、冷蔵庫本体１と扉６とを結ぶ電気配線のリード線１６が、ヒンジ装置７を介して配線されるようにしても、このヒンジ装置７が冷蔵庫本体１の上面から突出しないので、冷蔵庫Ｒの外容積に対する内容積の比率が小さくなることがなくなる。
【００２１】
本発明は特許請求の範囲に記載した事項によって特徴を有する。このため、上記実施形態に限定されるものではなく、その範囲を逸脱しない部分における種種の実施形態を包含するものである。
【００２２】
【発明の効果】
本発明によれば、ヒンジ板を冷蔵庫本体の上面に固定する簡素化された構成とすることができ、ヒンジ板をカバーするヒンジカバーを設けて外観装飾を行った場合にも、ヒンジ装置が冷蔵庫本体の上面から突出しない冷蔵庫となり、ヒンジ装置によって冷蔵庫の外容積に対する内容積の比率が小さくなることはない。
【００２３】
また、請求項２の発明によって、ヒンジ板を冷蔵庫本体の上面に固定する簡素化された構成とすることができ、ヒンジ板をカバーするヒンジカバーを設けて外観装飾を行った場合にも、ヒンジ装置が冷蔵庫本体の上面から突出しない冷蔵庫となる。そして、扉に各種の制御ができる制御部と表示部を設けた場合、冷蔵庫本体と扉とを結ぶ電気配線のリード線が、ヒンジ装置を介して配線されるようにしても、このヒンジ装置が冷蔵庫本体の上面から突出しないので、冷蔵庫の外容積に対する内容積の比率が小さくなることがなくなる。
【図面の簡単な説明】
【図１】本発明に係る冷蔵庫の上ヒンジ装置の部分の分解斜視図である。
【図２】本発明に係る冷蔵庫の上ヒンジ装置の部分の前後方向断面図である。
【図３】本発明に係る冷蔵庫の上ヒンジ装置の部分の左右方向断面図である。
【符号の説明】
１・・・冷蔵庫本体
２・・・内箱（内壁板）
３・・・外箱（外壁板）
３Ａ・・・外箱（外壁板）の上面
４・・・発泡断熱材
５・・・貯蔵室
６・・・回動式扉
７・・・ヒンジ装置
８・・・ヒンジ板
９・・・窪み
１０・・・取り付け基板
１１・・・切除部
１２・・・取り付け螺子
１４・・・ヒンジ軸
１５・・・軸受け筒
１６・・・リード線
１４Ａ、１７・・・挿通孔
１８・・・ヒンジカバー
１９・・・制御部
【図１】
2004293913.tif 000003
【図２】
2004293913.tif 000004
【図３】
2004293913.tif 000005